(57)【要約】【課題】  顧客が通帳を開いて内部紙を見た時に、美しくカラフルで楽しく満足感を覚えると共に、宣伝広告などを顧客に伝達し、金融機関のサービスの向上を図ることが可能な通帳とする。【解決手段】  通帳１の内部紙２の地模様４を複数の色で表示する。【選択図】  図１  
0003110249.tif 000002
【実用新案登録請求の範囲】
【請求項１】
通帳の内部紙の地模様が複数の色で表示されていることを特徴とする通帳。
【請求項２】
色は淡色であることを特徴とする請求項１記載の通帳。
【請求項３】
地模様は金融機関の商品又はサービスなどに関する宣伝広告各種の商店、企業の商品又はサービスなどに関する宣伝広告、或いは名所、名物、風景など観光やレジャースポットなどに関する宣伝広告であることを特徴とする請求項１又は２記載の通帳。
【請求項４】
地模様は各頁を通して連続性を有する絵物語に構成されていることを特徴とする請求項１又は２記載の通帳。
【考案の詳細な説明】
【技術分野】
【０００１】
本考案は金融機関の預金などの通帳に関し、詳しくは通帳の内部紙の地模様を斬新なものとした通帳に関するものである。
【背景技術】
【０００２】
従来の金融機関の通帳は通帳の表紙に人気キャラクターなどを印刷したり、独自の名称を付けたりして種々の工夫を凝らし、他の金融機関と差別化を図っている。
しかし通帳の内部紙となると何れの金融機関の通帳も内部紙に地模様が表示されているものはあるが、単一色の印刷によるもので、顧客は通帳を開くと何か味気ない思いをしているのである。
【考案の開示】
【考案が解決しようとする課題】
【０００３】
上記点より本考案は顧客が通帳を開いて内部紙を見た時に、美しく、カラフルで楽しく満足感を覚えると共に、宣伝広告を顧客に伝達し、金融機関のサービスの向上を図ることが可能な通帳を提供しようとするものである。
【課題を解決するための手段】
【０００４】
上記課題を解決するため請求項１記載の本考案通帳は通帳の内部紙の地模様が複数の色で表示されていることを特徴とするものである。
【０００５】
このような構成とすることにより、地模様はカラフルなものとなり、通帳を開くと美しく、顧客に満足感を与えることができ斬新な通帳となる。
【０００６】
次に、請求項２記載の本考案通帳は請求項１記載の通帳において色は淡色であることを特徴とするものである。
【０００７】
このような構成とすることにより、地模様の上に取引明細などが印字されても視認性が妨げられることがない。
【０００８】
次に、請求項３記載の本考案通帳は請求項１又は２記載の通帳において地模様は金融機関の商品又はサービスなどに関する宣伝広告各種の商店、企業の商品又はサービスなどに関する宣伝広告、或いは名所、名物、風景など観光やレジャースポットなどに関する宣伝広告であることを特徴とするものである。
【０００９】
このような構成とすることにより、顧客に金融機関の商品又はサービスなどに関する内容を知らせたり、各種の商店、企業の商品又はサービスなどに関する内容を知らせたり、或いは地域の名所、名物、風景など観光やレジャースポットなどに関する内容を知らせることができ、顧客に対するサービスの向上につながる。
【００１０】
次に、請求項４記載の本考案通帳は請求項１又は２記載の通帳において地模様は各頁を通して連続性を有する絵物語に構成されていることを特徴とするものである。
【００１１】
このような構成とすることにより、顧客は通帳を開いて物語の内容を楽しむことができ、顧客に対するサービスの向上につながる。
【考案の効果】
【００１２】
請求項１記載の本考案通帳によれば、通帳の内部紙の地模様が従来の様な単一色で表示したものに比べてカラフルなものとなり、通帳を開くと美しく、顧客に満足感を与えることができ、斬新な通帳となると共に顧客に対するサービスの向上につながる効果を有する。
【００１３】
次に、請求項２記載の本考案通帳によれば、地模様の色が複数の淡色で表示されているため、地模様の上に取引明細などが印字されても視認性が妨げられることがないので、顧客は取引明細などの内容を判然と確認できる効果を有する。
【００１４】
次に、請求項３記載の本考案通帳によれば、顧客に金融機関の商品又はサービスなどに関する内容を知らせたり、各種の商店、企業の商品又はサービスなどに関する内容を知らせたり、或いは地域の名所、名物、風景など観光やレジャースポットなどに関する内容を知らせることができ、顧客に対するサービスの向上につながると共に、通帳はパンフレットなどと異なり、簡単に廃棄したりすることがないと共に、何回も見るので、宣伝広告媒体として好適なものとなる効果を有する。
【００１５】
次に、請求項４記載の本考案通帳によれば、顧客は通帳を開いて物語の内容を楽しむことができ、人気キャラクターなどを登場させればより興味を引き、顧客に対するサービスの向上につながる効果を有する。
【考案を実施するための最良の形態】
【００１６】
以下、本考案の一実施の形態を添付図面を参照して説明する。
図１は本考案通帳を開いた状態の平面図である。
通帳１は銀行など金融機関の預金や貯金の通帳であって、従来通りの表紙と複数枚の内部紙２から構成されている。
図面は普通預金用の取引明細欄３の頁を示したものであって、複数頁にわたって設けられている。
【００１７】
取引明細欄３は年月日、摘要、お支払金額、お預り金額、差引残高を印字する欄から構成されている。
そして、取引明細欄３内に地模様４が取引明細欄３と共に複数の色で既に印刷されている。
取引明細欄３の印字ライン及び文字は地模様４と判別可能なＣＭＹＫ内の色で同時に印刷されている。
【００１８】
地模様４は取引明細欄３のみならず、内部紙２の各頁に表示されている。
又、各頁の地模様４は同一模様であっても良く、頁毎に異なる模様であっても良い。
地模様４として文字、図形、各種模様、絵柄などから成り、又、写真やキャラクターなどのイラストが印刷される。    
【００１９】
地模様４の各色は各金融機関の端末機のＰＣＳ基準値以内で端末機に適合する地模様４で印刷される淡色で表示されるため、印字しても取引明細の内容が見にくくなることはない。勿論、地模様４の色は印字とは異なる色が良い。
【００２０】
地模様４は金融機関の商品、サービスなどに関する宣伝広告や、各種の商店、企業の商品又はサービスなどに関する宣伝広告、或いは名所、名物、風景など観光やレジャースポットなどに関する宣伝広告を表示することが好ましい。
特に、観光などは金融機関の地域に密着した内容の宣伝広告とすれば、その地域の産業の発展に貢献することになる。宣伝広告は例えば名所などはイラストや写真が印刷される。
【００２１】
又、地模様４は各頁を通して連続性を有する絵物語に構成することもでき、物語の内容を楽しむことができる。
絵物語として童話や人気キャラクターが登場する物語などが好適である。
【００２２】
尚、図面では取引明細欄３外の上辺部及び下辺部の一定領域は「普通預金」の旨の表示や「ご説明」が既に取引明細欄３と同色で印刷され、地模様４は施されていないが、当然この領域にも地模様４を施すこともできる。
そして、取引明細欄３の地模様４の上に取引明細が印字される。
【００２３】
以上、本考案を実施形態に基づき具体的に説明したが、本考案は上記実施形態に何ら限定されるものではなく、例えば積立型の定期預金用の頁など他の頁でも同様にカラフルな地模様４が表示される等、本考案の趣旨を逸脱しない範囲内において種々の改良、変形が可能である。
【図面の簡単な説明】
【００２４】
【図１】本考案通帳を開いた状態の一実施の形態を示す平面図である。
【符号の説明】
【００２５】
１  通帳
２  内部紙
３  取引明細欄
４  地模様
【図１】
0003110249.tif 000003